(57)【要約】      （修正有）【課題】未定頚の重度障害児・者が食事や作業活動に必要な安価で耐久の高い頭部保持が簡易にできる前方頭部保持具を提供する。【解決手段】未定頚の重度障害児または重度障害者用の頭部保持具であって、四角柱状の頭部保持具本体１０の上面中央部に未定頚の重度障害児または重度障害者用の下顎をのせるＵ字状の溝１４が形成されてなることを特徴とする。【選択図】図２
0003194595.tif 000002
【実用新案登録請求の範囲】
【請求項１】
未定頚の重度障害児または重度障害者用の頭部保持具であって、四角柱状の頭部保持具本体の上面中央部に前記未定頚の重度障害児または重度障害者用の下顎をのせるＵ字状の溝が形成されてなることを特徴とする未定頚の重度障害児または重度障害者用の頭部保持具。
【請求項２】
前記未定頚の重度障害児または重度障害者用の頭部保持具を覆う保持具カバーが装着されてなることを特徴とする請求項１に記載の未定頚の重度障害児または重度障害者用の頭部保持具。
【請求項３】
前記保持具カバーには体幹ベルトが設けられていることを特徴とする請求項２に記載の未定頚の重度障害児または重度障害者用の頭部保持具。
【請求項４】
前記未定頚の重度障害児または重度障害者用の頭部保持具の底面または前記カバー底面または前記カバー底部に滑り止めが設けられていることを特徴とする請求項１から請求項３に記載の未定頚の重度障害児または重度障害者用の頭部保持具。
【考案の詳細な説明】
【技術分野】
【０００１】  本考案は、未定頚の重度障害児または重度障害者が食事や作業活動に必要な安価で耐久の高い頭部保持が簡易にできる前方頭部保持具に関する。
【背景技術】
【０００２】  従来は、未定頚の重度障害児または重度障害者が活動するためには前方頭部保持が必要であるが、安価で耐久の高く簡易に頭部保持できる前方頭部保持具が存在しなかった。
【先行技術文献】
【非特許文献】
【０００３】
【非特許文献１】パシフィックサプライ株式会社製品名ささえっこ（姿勢保持装置）取扱説明書２００４年９月第２版
【考案の概要】
【考案が解決しようとする課題】
【０００４】  未定頚の重度障害児または重度障害者は抗重力姿勢において自力で頭部を保持できない。抗重力姿勢は活動をする際に必要な姿勢である。活動には目からの視覚情報や物を扱うための上肢運動、食物嚥下や発話のための呼吸・口腔運動を行う。通常、感覚入力、運動出力をするために人間は抗重力姿勢をとっている。しかし、未定頚の重度障害児または重度障害者用は既成の補装具によって体幹保持までは可能にできるが、頭部保持するためには下記１）〜３）の問題点があった。【０００５】１）未定頚の重度障害児または重度障害者のリクライニング姿勢での後方や両側方向の頭部保持のための保持具が一般的である。抗重力姿勢での頭部保持も、リクライニング姿勢と同様な後方や両側方向の頭部保持のための保持具が用いられている。リクライニング姿勢は頭部が後方か側方に倒れることを予防するためのものである。しかし、抗重力姿勢では頭部は前方か側方に倒れるため後方につける頭部保持具では用をなさない。
２）抗重力姿勢では、頭部保持するために誰かが未定頚の重度障害児または重度障害者の下顎を活動中、支え続けなければならない。そして、その技術は容易でなく、また人が行うため一定の状態を保つことは困難である。
３）２）のため、未定頚の重度障害児または重度障害者は常に介助者を複数必要とし、なおかつ介助する人の技術、状態の影響を受けるため抗重力姿勢で行う活動が限定的にならざるを得ない現状である。【０００６】  本考案は上記１）〜３）の問題を解決するためになされ、その目的は未定頚の重度障害児または重度障害が抗重力姿勢で感覚入力、運動出力としての目からの視覚情報や物を扱うための上肢運動、食物嚥下や発話のための呼吸・口腔運動をスムーズに行うための前方頭部保持による保持具を提供することを課題とする。
【課題を解決するための手段】
【０００７】  以上の課題を解決するために、本考案の請求項１に記載の頭部保持具は、未定頚の重度障害児または重度障害者用の頭部保持具は、四角柱の頭部保持具本体の上面中央部に前記未定頚の重度障害児または重度障害者用の下顎をのせるＵ字状の溝が形成されてなることを特徴とする。請求項２に記載の前記未定頚の重度障害児または重度障害者用の頭部保持具を覆う保持具カバーが装着されてなることを特徴とする。請求項３に記載の前記保持具カバーには体幹ベルトが設けられていることを特徴とする。請求項４に記載の前記未定頚の重度障害児または重度障害者用の頭部保持具の底面または前記カバー底面に滑り止めが設けられていることを特徴とする。
【考案の効果】
【０００８】  本考案によれば、教育医療現場では現在、未定頚の重度障害児・者が抗重力姿勢をとる際、頭部保持するために介助者が未定頚の重度障害児・者の下顎を前方や側方から活動中、支え続けなければならない。そして、その技術は容易でなく、また人が行うため一定の状態を保つことは困難である。未定頚の重度障害児・者は常に介助者を複数必要とし、なおかつ介助する人の技術、状態の影響を受けるため抗重力姿勢で行う活動が限定的にならざるを得ない現状である。しかし請求項１の頭部保持具は介助者の労力を必要とせず、また障害児・者が一定の状態で抗重力姿勢での頭部保持を可能とする。【０００９】  さらに未定頚の重度障害児・者が抗重力姿勢で頭部保持することで目からの視覚情報や物を扱うための上肢運動、食物嚥下や発話のための呼吸・口腔運動をスムーズに行うことによる生活経験の質的量的向上が期待される。【００１０】  さらに介助者による介助量が軽減し、未定頚の重度障害児・者の抗重力姿勢での活動時の自立につながる。【００１１】  さらに保持具の転倒を防止するため、保持具本体が胸部に密着するよう体幹に装着する保持具カバーのクロスベルトを備えた。【００１２】  また、保持具使用時の時間経過や頭部バランスの崩れによる本体のずれを防止するため、保持具接地面部に大きな摩擦係数を有する生地の滑り止め部材を設けた。
【考案を実施するための最良の形態】
【００１３】  考案を実施するための最良の形態を実施例に基づき図面を参照して説明する。【００１４】  図１は本発明を具体化した頭部保持具の保持具本体１０に体幹ベルト２１が設けられている保持具カバー２０を覆わせた外観斜視図である。体幹ベルト２１の上端部２２が保持具カバー２０上部から３〜１０ｃｍ下に縫い付けられている。同じく体幹ベルト２１の下端部２３は保持具カバー２０の側面下部に縫い付けられている。なお、体幹ベルト２１の下端部２３と保持具カバー２０の側面下部は着脱自在なようにマジックテープ（登録商標）を設けてもよい。【００１５】  図２に示す保持具本体１０は、下顎の重さに対して、例えばポリウレタンフォームのような弾力のある基材で一体形成されている。例えば（公序良俗違反につき、不掲載）（ポリエーテル系ポリウレタンフォーム）の仕様は密度：５０±５ｋｇ／ｍ３、硬さ：１２．７５ｋＰａ≦、引張強度：１７７ｋＰａ≦、伸び：７０％、圧縮残留歪４≧である。また、頭部の重みを吸収し支えられるような弾力のある他の素材でもよい。【００１６】  保持具本体１０の仕様は高さが頸部と上腕を合わせた長さ（２０〜２７ｃｍ）、幅が下顎に両側幅各２ｃｍを合わせた長さ（１３〜１５ｃｍ）の長さ、奥行は下顎がのる長さ（５〜６ｃｍ）であることが望ましい。【００１７】  図３に示すようにテーブルＬ上に頭部保持具本体下面１１をのせて頭部保持具本体上面１２が上になるようにして頭部保持具本体１０は使用されるものである。【００１８】  図４に示すように頭部保持具本体１０は保持具本体裏面１３側が障害児・者Ｍの胸部に接地するよう使用される。頸部、鎖骨部は保持具本体１０と接することが少ないため、構造的に呼吸運動を妨げることが減らすことができる。また、Ｕ字状溝に下顎骨のみ固定することで摂食・嚥下・発声・発語運動を妨げることが減らすことができる。【００１９】  図５は障害児・者Ｍが保持具本体１０と体幹ベルト２１を装着した時の作用する力の動きを示す。保持具本体１０に下顎をのせると重力の方向（↓）に力が作用し、また体幹ベルト２１で体幹に装着すると体幹に引かれる力（→）が作用し、頭部の保持と体幹を正中位保持しやすくする。【００２０】  図６は障害児・者Ｍが保持具本体１０に保持具カバー２０を組み合わせて使用する様子を後方から見た斜視図である。保持具本体１０の転倒を防止するため、体幹ベルト２１を背面にクロスして使用するのが望ましい。体幹ベルト２１は肩から背中にかけて襷がけのように使用することで簡便に着用することもできる。【００２１】  保持具本体１０を形成する部材は、例えば（公序良俗違反につき、不掲載）（ポリエーテル系ポリウレタンフォーム）が望ましい。仕様は密度：５０±５ｋｇ／ｍ３、硬さ：１２．７５ｋＰａ≦、引張強度：１７７ｋＰａ≦、伸び：７０％、圧縮残留歪４≧であるのが望ましい。【００２２】  保持具カバー２０は直接下顎にあたるため伸縮素材で通気性のよいニット素材が望ましいが布であってもよい。保持具カバー２０は保持具本体１０の形状に沿った形で形成されていて、体幹ベルト２１は湾曲しているのが望ましい。【００２３】  体幹ベルト２１は幅４〜５ｃｍ、長さ１５〜３０ｃｍの仕様で伸縮性、通気性が���るのが望ましい。また、体幹ベルト２１に中芯を使用することで変形しにくいためより望ましい。【００２４】  なお、滑り止め部材は頭部保持具本体下面１１または頭部保持具カバー２０の底面または底部に接着するものとする。【００２５】  上記実施の形態は体幹ベルトつきの保持具カバーを覆った頭部保持具本体の例を示したが、頭部保持具本体単独で使用することも可能であり、また保持具カバーには体幹ベルトが設けられてなくても使用することができる。
【図面の簡単な説明】
【００２６】
【図１】本考案を具体化した未定頚の重度障害児または重度障害者用頭部保持具１０と体幹ベルトを有する保持具カバー２０とを装着した外観斜視図である。
【図２】保持具１０の外観斜視図である。
【図３】保持具１０の使用時の外観斜視図である。
【図４】保持具１０の使用中の外観側面図である。
【図５】保持具１０の使用中の作用する力の動きを示す外観側面図である。
【図６】保持具本体１０に保持具カバー２０を組み合わせた使用時の後方斜視図である。
【符号の説明】
【００２７】１０・・・頭部保持具本体
１１・・・頭部保持具本体下面
１２・・・頭部保持具本体上面
１３・・・頭部保持具裏面
１４・・・Ｕ字状の溝
２０・・・保持具カバー
２１・・・体幹ベルト
２２・・・体幹ベルト２１の上端部
２３・・・体幹ベルト２１の下端部
【図１】
0003194595.tif 000003
【図２】
0003194595.tif 000004
【図３】
0003194595.tif 000005
【図４】
0003194595.tif 000006
【図５】
0003194595.tif 000007
【図６】
0003194595.tif 000008
【手続補正書】
【提出日】平成26年8月20日(2014.8.20)
【手続補正１】
【補正対象書類名】実用新案登録請求の範囲
【補正対象項目名】請求項４
【補正方法】変更
【補正の内容】
【請求項４】
前記未定頚の重度障害児または重度障害者用の頭部保持具の底面または前記カバー底面または前記カバー底部に滑り止めが設けられていることを特徴とする請求項１〜３のいずれか一項に記載の未定頚の重度障害児または重度障害者用の頭部保持具。
【手続補正２】
【補正対象書類名】明細書
【補正対象項目名】００１５
【補正方法】変更
【補正の内容】
【００１５】  図２に示す保持具本体１０は、下顎の重さに対して、例えばポリウレタンフォームのような弾力のある基材で一体形成されている。例えばポリエーテル系ポリウレタンフォームの仕様は密度：５０±５ｋｇ／ｍ３、硬さ：１２．７５ｋＰａ≦、引張強度：１７７ｋＰａ≦、伸び：７０％、圧縮残留歪４≧である。また、頭部の重みを吸収し支えられるような弾力のある他の素材でもよい。
【手続補正３】
【補正対象書類名】明細書
【補正対象項目名】００２１
【補正方法】変更
【補正の内容】
【００２１】  保持具本体１０を形成する部材は、例えばポリエーテル系ポリウレタンフォームが望ましい。仕様は密度：５０±５ｋｇ／ｍ３、硬さ：１２．７５ｋＰａ≦、引張強度：１７７ｋＰａ≦、伸び：７０％、圧縮残留歪４≧であるのが望ましい。